(57)【要約】【課題】  高価なリライタブル紙の消耗を抑制しつつ、受信者が保存すべき情報を保存可能とする。【解決手段】  リライタブル紙印刷部１１は、画像消去可能な記録方式で、リライタブル紙に画像記録し、普通紙印刷部１０は、普通紙に画像記録し、記憶部９は、画像情報の送信元を特定する相手先情報を予め格納し、印刷手段選択部７は、画像情報の受信時に送信元の識別情報を取得し、該識別情報に該当する相手先情報を記憶部９から検索し、検索結果に基づいてリライタブル紙印刷部１１、及び普通紙印刷部１０の何れか一方を画像情報の画像記録手段として選択する。【選択図】        図１
2007068067.tif 000002
【特許請求の範囲】
【請求項１】
画像消去可能な記録方式で、第一の記録媒体に画像記録する第一の画像記録部と、
画像消去不能な記録方式で、第二の記録媒体に画像記録する第二の画像記録部と、
画像情報の送信元を特定する相手先情報を予め格納する相手先情報記憶部と、
前記画像情報の送信元の識別情報を取得し、該識別情報に該当する相手先情報を前記相手先情報記憶部から検索し、検索結果に基づいて前記第一の画像記録部、及び前記第二の画像記録部の何れか一方を前記画像情報の画像記録手段として選択する画像記録手段選択部とを備えることを特徴とする通信端末装置。
【請求項２】
前記相手先情報記憶部は、前記相手先情報に対応して前記画像記録部を選択する記録媒体指定情報を更に格納し、
前記画像記録手段選択部は、前記検索結果と前記記録媒体の指定情報とに基づいて、前記第一と第二の記録部の何れか一方を画像記録手段として選択することを特徴とする請求項１に記載の通信端末装置。
【請求項３】
画像記録可能な記録方式で第一の記録媒体に画像記録するとともに、画像消去不能な記録方式で第二の記録媒体に画像記録する画像記録部と、
前記画像記録部に前記第一の記録媒体と前記第二の記録媒体を選択的に供給する給紙部と、
画像情報の送信元を特定する相手先情報を予め格納する相手先情報記憶部とを備え、
前記画像情報の送信元の識別情報を取得し、該識別情報に該当する相手先情報を前記相手先情報記憶部から検索し、検索結果に基づいて前記給紙部に前記第一の記録媒体と前記第二の記録媒体の何れか一方の記録媒体を選択して給紙させることを特徴とする通信端末装置。
【請求項４】
前記相手先情報記憶部は、前記相手先情報に対応して給紙する記録媒体を選択する指定情報を更に格納し、
前記検索結果と、前記指定情報とに基づいて前記給紙部に前記第一の記録媒体と前記第二の記録媒体の何れか一方の記録媒体を選択して給紙させることを特徴とする請求項３に記録の通信端末装置。
【請求項５】
前記画像消去可能な記録媒体は、可逆性感熱記録媒体であることを特徴とする請求項１から請求項４までの何れか一項に記載の通信端末装置。
【請求項６】
前記相手先情報記憶部が格納する相手先情報は、電話発呼用の電話番号であることを特徴とする請求項１から請求項４までの何れか一項に記載の通信端末装置。
【発明の詳細な説明】
【技術分野】
【０００１】
本発明は、受信画像の送信元に基づいて該受信画像の印刷手段を選択して印刷出力する通信端末装置に関する。
【背景技術】
【０００２】
近年、社会のあらゆる分野で、ダイレクトメールが氾濫している。ファクシミリ装置の普及拡大によって、ダイレクトメールの通信手段としてファクシミリ装置が用いられる場合も多い。かかる状況下では、受信者にとって有益な情報に混じって、何ら有益な情報をもたらすことが無いダイレクトメールが、無分別に送られてくることになり、無駄な用紙の消耗を受信者に強いるという問題が発生している。
【０００３】
このような無駄を排除すべく、繰り返し印刷が可能な、例えば可逆性感熱記録媒体（特許文献１参照）等のリライタブル記録媒体を用いて、受信画像を印刷し、その度に消去するという方法も考えられる。
【特許文献１】特開２００３−１４５８８３号公報
【発明の開示】
【発明が解決しようとする課題】
【０００４】
しかしながら、上記リライタブル記録を用いたファクシミリ装置にあっては、保存が必要な情報をリライタブル記録媒体で保存することとなる。リライタブル記録媒体は、通常の用紙に比してコストが極めて高いために、ファクシミリ装置のランニングコストが極めて高くなってしまうという問題がある。
【課題を解決するための手段】
【０００５】
本発明は、画像消去可能な記録方式で、第一の記録媒体に画像記録する第一の画像記録部と、画像消去不能な記録方式で、第二の記録媒体に画像記録する第二の画像記録部と、画像情報の送信元を特定する相手先情報を予め格納する相手先情報記憶部と、上記画像情報の送信元の識別情報を取得し、該識別情報に該当する相手先情報を上記相手先情報記憶部から検索し、検索結果に基づいて上記第一の画像記録部、及び上記第二の画像記録部の何れか一方を上記画像情報の画像記録手段として選択する画像記録手段選択部とを備えることを主要な特徴とする。
【発明の効果】
【０００６】
受信者が保存する可能性の高い情報を提供してくれそうな送信元を予め想定し、その相手先情報を登録しておく相手先情報記憶部を備え、画像情報の受信時に送信元の識別情報を取得し、該識別情報に基づいて上記相手先情報記憶部を検索し、送信元が登録されていない場合には、該画像情報が受信者が保存する可能性が低いと判断し、第一の画像記録部を用いてリライタブル紙に印刷し、画像消去、再印刷を繰り返すこととし、登録されていた場合には受信者が保存する可能性が高いと判断し、第二の画像記録部を用いて普通紙に印刷して保存することとしたので、高価なリライタブル紙の消耗を抑制し、且つ、受信者にとって有益な情報は保存することが出来るという効果を得る。
【発明を実施するための最良の形態】
【０００７】
第一の画像記録部に対して２つの用紙供給手段を備え、画像記録手段選択部の選択に基づいて、一方の用紙供給手段から可逆性感熱記録媒体を供給し、他方の用紙供給手段から非可逆な感熱記録紙を供給することとし、第二の画像記録部を削除することが出来た。
【実施例１】
【０００８】
図１は、実施例１の構成を表すブロック図である。
図に示すように、実施例１のファクシミリ装置１００は、入出力ＩＦ部１と、回線制御部２と、入出力バッファ部３と、操作・表示部４と、読取り部５と、符号化・復号化部６と、印刷手段選択部７と、相手先情報取得部８と、記憶部９と、普通紙印刷部１０と、リライタブル紙印刷部１１と、ＣＰＵ１２と、ＲＯＭ１３と、ＲＡＭ１４とを備える。
【０００９】
入出力ＩＦ部１は、ファクシミリ装置１００を所定の通信プロトコルに基づいてネットワーク（ここでは公衆回線１１０）に接続する、ファクシミリ装置１００と公衆回線１１０との間でインタフェースの役割を分担する部分である。
【００１０】
回線制御部２は、その内部にモデム２−１と、ＮＣＵ（網制御ユニット）２−２とを有し、ネットワーク（公衆回線１１０）を介する通信相手先とのデータ交信を制御する部分である。モデムは送受信データをＩＴＵ勧告Ｔ.３０で規定された通信プロトコルに準拠して変復調する部分であり、ＮＣＵ２−２は、上記モデム２-１とネットワークとの接続・開放制御を行う部分である。
【００１１】
叉、回線制御部２は、送信端末識別信号（ＩＴＵ勧告Ｔ.３０にて定義）の受信を行う部分でもある。ＣＰＵ１２の指示に基づいて受信動作を開始すると、最初に、ディジタル識別信号（ＩＴＵ勧告Ｔ.３０にて定義）を発呼局に送信し、発呼局からディジタル命令信号（ＩＴＵ勧告Ｔ.３０にて定義）を受信する。このときディジタル命令信号と同時にオプション信号である送信端末識別信号を受信する。この送信端末識別信号は、オプション信号なので受信できない場合もありうる。後に動作の項で説明するように、本実施例によるファクシミリ装置１００は、回線制御部２がこの送信端末識別信号を受信したときに有効に動作する。この制御手順は、ＲＯＭ１３に予め格納されている制御プログラムをＣＰＵ１２が実行することにより実現されるコンピュータ制御手順である。
【００１２】
入出力バッファ部３は、送受信データを一時格納するデータバッファであり、通常は、ＲＡＭ１４の一部のメモリ領域が充てられる。
操作・表示部４は、ファクシミリ装置を操作するために必要なファンクションキーやカーソルキー、電話番号を入力叉は登録するためのテンキーやオートダイヤルのためのワンタッチキー、及び入力した情報を表示する表示板を有し、操作者とファクシミリ装置とのマンマシンインタフェースの役割を分担する部分である。
【００１３】
読取り部５は、スキャナ装置であり、原稿画像を光学的に読み取ってイメージデータに変換して出力する部分である。
符号化・復号化部６は、読取り部５からイメージデータを受入れて符号化し、入出力バッファ部３へ送り、受信データを入出力バッファ部３から読み出して復号化し、印刷データに変換する部分である。
【００１４】
印刷手段選択部７は、後に説明する記憶部９の通信相手先保存エリア９−２に保存されている通信相手先の電話番号が、同じく記憶部９のオートダイヤル電話番号登録エリア９−１に予め登録されている電話番号の何れかに一致するか否かを照合し、何れにも一致しない場合には、送信元から送られてくる受信画像は、受信者が保存する可能性が低いと判断し、受信画像の画像記録手段としてリライタブル紙印刷部１１を選択し、何れかと一致した場合には受信者が保存する可能性が高いと判断し、受信画像の画像記録手段として普通紙印刷部１０を選択する部分である。この部分は、ＲＯＭ１３に予め格納されている制御プログラムをＣＰＵ１２が実行することによって実現されるコンピュータ制御手段である。
【００１５】
相手先情報取得部８は、送信端末識別信号から送信元の電話番号を取得し、この送信元の電話番号を後に説明する記憶部９の通信相手先保存エリア９−２へ保存する部分である。この部分は、ＲＯＭ１３に予め格納されている制御プログラムをＣＰＵ１２が実行することによって実現されるコンピュータ制御手段である。
【００１６】
記憶部９は、その内部にオートダイヤル用電話番号登録エリア９−１と、通信相手先保存エリア９−２とを有するメモリである。オートダイヤル用電話番号登録エリア９−１は、予め想定される送信相手先の電話番号を格納しておく不揮発性メモリである。本発明では、このエリアに登録されている通信相手先が送信元となる画像情報は受信者が保存する可能性が高い判断する。叉、このエリアに登録されていない通信相手先が送信元となる画像情報は無分別なダイレクトメール等のように、受信者が保存する可能性が低いと判断する。このエリアには、登録テーブル９−１−１に示すように想定される通信相手先の電話番号と、その通し番号が含まれている。通信相手先保存エリア９−２は、相手先情報取得部８が、送信端末識別信号から送信元の電話番号を取得したときに、その電話番号を保存するランダムアクセスメモリである。通常は、ＲＡＭ１４の一部の領域が充てられる。
【００１７】
普通紙印刷部１０は、普通紙（パルプを原料とする通常の紙）に印刷画像の消去が不可能な記録方式（インクジェットや電子写真方式等）で印刷して出力するプリントエンジンである。
【００１８】
リライタブル紙印刷部１１は、印刷画像の消去が可能な可逆性感熱記録媒体などのリライタブル紙に、印刷画像の消去が可能な記録方式で印刷して出力するプリントエンジンである。ここでリライタブル紙印刷部１１の一例として可逆性感熱記録媒体を用いた場合の機能と、該略構成の一例について説明する。
【００１９】
図２は、リライタブル紙印刷部の説明図である。
（ａ）は、リライタブル紙印刷部の機能を説明する図であり、（ｂ）は、リライタブル紙印刷部の該略構成を表す斜視図である。
【００２０】
可逆性感熱記録媒体とは、ロイコ染料と顕色剤からなる可逆発色材料を所定のフィルムに塗布し、その表面を透明な材料で覆った記録媒体である。この記録媒体は、所定の温度以上に加熱されるとロイコ染料と顕色剤が近接することによって発色する。この状態で常温まで急冷されると発色状態がそのまま常温でも維持される。更に、この発色状態にある記録媒体を所定の温度まで加熱し、冷却するとロイコ染料と顕色剤との近接状態が解消され消色される。即ち、可逆性感熱記録媒体は、所定の温度まで加熱して急冷によって所定の画像が印刷される。さらに印刷された画像を上記印刷温度よりも若干低い温度まで加熱し冷却すると、その印刷画像が消去される、所謂リライタブル紙として機能する。
【００２１】
（ａ）は、横軸に加熱温度を、縦軸に画像濃度を表して、画像の印刷、及び消去を説明する図である。図に示すようにＡ点は、画像が印刷されていない初期状態を表している。Ａ点から加熱していくと温度ｔ１で発色し始める。更に加熱するとＢ点で印刷状態になる。この状態からＣ点（常温）まで急冷すると印刷状態がそのまま維持される。
ここまでが画像印刷プロセスである。次にＣ点を印刷画像の初期状態として加熱していく。Ｄ点までは印刷状態が維持される。しかし、Ｄ点を越すと画像が消去され始め、Ｅ点に至ると画像が完全に消去される。この状態から冷却するとＡ点に戻り再度の画像印刷が可能になる。
【００２２】
（ｂ）に示すように、リライタブル紙印刷部では、熱容量の比較的小さい印刷サーマルヘッド１１−１によって記録媒体上の所定の位置を急加熱・急冷して印刷画像を形成する。更に、熱容量の比較的大きい消去サーマルローラ１１−２によって加熱冷却して印刷画像を消去する。
【００２３】
再度図１に戻って、ＣＰＵ１２は、ＲＯＭ１３に予め格納されている制御プログラムを実行することによって装置全体を制御するマイクロプロセッサである。特に、本実施例では、ＲＯＭ１３に予め格納されている所定の制御プログラムを実行することによって回線制御部２の制御手順、符号化・復号化部６、印刷手段選択部７、及び、相手先情報取得部８とを起動させる部分である。
【００２４】
ＲＯＭ１３は、ＣＰＵ１２が実行することによって装置全体を制御する制御プログラム、及び必要な制御データを予め格納するリードオンリメモリである。特に本実施例では、ＣＰＵ１２が実行することによって回線制御部２の制御手順、符号化・復号化部６、印刷手段選択部７、及び、相手先情報取得部８とを起動させる制御プログラムを予め格納するリードオンリメモリである。
【００２５】
ＲＡＭ１４は、ＣＰＵ１２が所定の制御プログラムを実行する中で必要になる演算領域を提供するランダムアクセスメモリである。特に、本実施例では、入出力バッファ部３、及び、記憶部９の通信相手先保存エリア９−２を構成する部分である。又、符号化・復号化部６が復号化した印刷データを普通紙印刷部１０またはリライタブル紙印刷部１１へ送出する直前の一時格納する部分でもある。
共通バス１５は、各構成部分を通信接続する通信線路である。
【００２６】
以下に本実施例のファクシミリ装置１００の動作について説明する。
図３は、受信画像の相手先情報保存のフローチャートである。
図のステップＳ１−１からステップＳ１−８まで送信元の電話番号を相手先情報取得部８（図１）が通信相手先保存エリア９−２（図１）に保存するまでの手順について説明する。
【００２７】
ステップＳ１−１
回線制御部２（図１）は、公衆回線１１０（図１）からリング信号を受入れるとＣＰＵ１２（図１）にリング着信を通知して受信動作開始指示を待つ。ＣＰＵ１２（図１）は、装置全体の稼動状態を確認し、受信可能であれば回線制御部２（図１）へ着信指示を通知する。回線制御部２（図１）は、この着信指示を受入れるとＩＴＵ勧告Ｔ.３０手順に従って受信制御を開始する。
【００２８】
ステップＳ１−２
回線制御部２（図１）は、ディジタル識別信号を発呼局に送信し、発呼局からディジタル命令信号を受信する。この時ディジタル命令信号と共に送信端末識別信号を受信することが可能である。この送信端末識別信号は、オプション信号なので受信出来ない場合もある。回線制御部２（図１）が送信端末識別信号を受信できた場合にはステップＳ１−３へ進み、受信出来なかった場合にはステップＳ１−４へ進む。
【００２９】
ステップＳ１−３
相手先情報取得部８（図１）は、送信端末識別信号から送信元の電話番号を取得して通信相手先保存エリア９−２（図１）に保存する。回線制御部２（図１）は画像信号の受信を開始し、入出力バッファ部３（図１）へ順次格納する。
【００３０】
ステップＳ１−４
相手先情報取得部８（図１）は、通信相手先保存エリア９−２（図１）にクリア要求通知を送出し、前回取得した相手先の電話番号をクリアする。回線制御部２（図１）は画像信号の受信を開始し、入出力バッファ部３（図１）へ順次格納していく。
【００３１】
ステップＳ１−５
符号化・復号化部６（図１）は、入出力バッファ部３（図１）から画像信号を順次、取り込んでＩＴＵ勧告Ｔ．４／Ｔ．６に準拠して復号化を開始する。復号化され画像データは印刷データに変換されＲＡＭ１４の一部領域に展開される。尚、復号化と画像信号の受信は並行して行なわれる。
【００３２】
ステップＳ１−６
符号化・復号化部６は、一ページ分の処理が終了するまでステップＳ１−５からステップＳ１−６を繰り返す。
【００３３】
ステップＳ１−７
ＣＰＵ１２（図１）は、符号化・復号化部６による一ページ分の処理が終了したことを確認した後、印刷手段選択部７（図１）を起動させる。
【００３４】
ステップＳ１−８
ＣＰＵ１２（図１）は、回線制御部２（図１）が、ＩＴＵ勧告Ｔ.３０手順に定義される、ＥＯＰ信号などを受入れて、画像信号の全ての受信が完了したことを確認するまでは、後に続くページの処理を繰返すべくステップＳ１−５へ戻して処理を繰り返させ、全ページの処理が終了するとフローを終了する。
【００３５】
図４は、実施例１の受信画像の印刷処理のフローチャートである。
図のステップＳ１−１１からステップＳ１−１４までが印刷手段選択部７（図１）の動作である。
【００３６】
ステップＳ１−１１
印刷手段選択部７（図１）は、上記ステップＳ１−７で起動されると、通信相手先保存エリア９−２（図１）に通信相手先の電話番号が保存されているか否かを検出し、保存されている場合にはステップＳ１−１２へ進み、保存されていない（クリアされている）場合にはステップＳ１−１４へ進む。
【００３７】
ステップＳ１−１２
印刷手段選択部７（図１）は、通信相手先保存エリア９−２（図１）に保存されている通信相手先の電話番号が、オートダイヤル電話番号登録エリア９−１（図１）に予め登録されている電話番号の何れかに一致するか否かを照合し、何れかと一致した場合にはステップＳ１−１３へ進み、何れとも一致しない場合にはステップＳ１−１４へ進む。
【００３８】
ステップＳ１−１３
印刷手段選択部７（図１）は、受信者が保存する可能性が高いと判断し、受信画像の画像記録手段として普通紙印刷部１０（図１）を選択する。
【００３９】
ステップＳ１−１４
印刷手段選択部７（図１）は、受信者が保存する可能性が低いと判断し、受信画像の画像記録手段としてリライタブル紙印刷部１１（図１）を選択する。
【００４０】
ステップＳ１−１５
ＣＰＵ１２（図１）は、印刷手段選択部７（図１）の選択に基づいて、ステップＳ１−１３またはステップＳ１−１４で選択された、普通紙印刷部１０（図１）またはリライタブル紙印刷部１１（図１）に対して印刷開始を通知する。
【００４１】
ステップＳ１−１６
普通紙印刷部１０（図１）またはリライタブル紙印刷部１１（図１）は、ＲＡＭ１４（図１）に展開されている印刷データを取り込んで印刷を開始し、フローを終了する。
【００４２】
以上説明したように、本実施例によれば、受信者にとって保存の必要な情報を提供してくれそうな送信元を予め想定し、その相手先情報を登録しておく記憶部９（図１）を備え、予め登録されていない送信元から受入れた受信画像をリライタブル紙に印刷するようにした。その結果、受信者が保存する可能性が少ないダイレクトメール等、保存する必要のない受信画像に対しては、再利用可能なリライタブル紙を用いて印刷することとして用紙の節減を図ることが可能になり、更に、受信者にとって保存が必要と思われる情報は普通紙こで印刷し、保存することが出来るようになったので、ランニングコストが低く、且つ重要な情報の保存性が高いファクシミリ装置を得ることが出来ると言う効果を得る。
【００４３】
尚、上記説明では、本実施例によるファクシミリ装置１００（図１）は、普通紙印刷部１０（図１）とリライタブル紙印刷部１１（図１）とを、それぞれ別個に備えることとして説明したが、本発明は、この例に限定されるものではない。一例として図２（ｂ）に表すリライタブル紙印刷部１１（図１）に対して２つの用紙供給手段を備え、印刷手段選択部７（図１）の選択に基づいて、一方の用紙供給手段から可逆性感熱記録媒体を供給し、他方の用紙供給手段から非可逆な感熱記録紙を供給することとしても良い。こうすることによって普通紙印刷部１０（図１）を割愛することも可能になる。
【実施例２】
【００４４】
図５は、実施例２の構成を表すブロック図である。
図に示すように、実施例２のファクシミリ装置２００は、入出力ＩＦ部１と、回線制御部２と、入出力バッファ部３と、操作・表示部２１と、読取り部５と、符号化・復号化部６と、印刷手段選択部２２と、相手先情報取得部８と、記憶部２３と、普通紙印刷部１０と、リライタブル紙印刷部１１と、ＣＰＵ２４と、ＲＯＭ２５と、ＲＡＭ１４とを備える。実施例１との相違部分のみについて以下に詳細に説明する。実施例１と同様の部分については実施例１と同一の符号を付して説明を省略する。
【００４５】
操作・表示部２１は、ファクシミリ装置を操作するために必要なファンクションキーやカーソルキー、電話番号を入力叉は登録するためのテンキーやオートダイヤル用のワンタッチキー、及び入力した情報を表示する表示板を有し、操作者とファクシミリ装置とのマンマシンインタフェースの役割を分担する部分である。本実施例では特に用紙指定手順２１−１が追加される。
【００４６】
用紙指定手順２１−１は、記憶部２３のオートダイヤル用電話番号登録エリア２３−１に予め登録されている送信元であっても普通紙ではなくリライタブル紙による印刷を操作者が予め指定することを可能にする手順である。この制御手順は、ＲＯＭ２５に予め格納されている所定の制御プログラムをＣＰＵ２４が実行することによって起動されるコンピュータ制御手順である。この手順の詳細については動作説明の項で説明する。
【００４７】
記憶部２３は、その内部にオートダイヤル用電話番号登録エリア２３−１と、通信相手先保存エリア９−２とを有するメモリである。オートダイヤル用電話番号登録エリア２３−１は、予め想定される送信相手先の電話番号を格納しておく不揮発性メモリである。本発明では、このエリアに登録されている通信相手先が送信元となる画像情報は受信者が保存する可能性が高いと判断する。叉、このエリアに登録されていない通信相手先が送信元となる画像情報は無分別なダイレクトメール等のように、受信者が保存する可能性が低いと判断する。このエリアには、登録テーブル２３−１−１に示すように想定される通信相手先の電話番号と、その通し番号と、特に本実施例では指定用紙の項目が含まれている。この項目には、用紙指定手順２１−１によって用紙の種類が指定される。通信相手先保存エリア９−２は、相手先情報取得部８が、送信端末識別信号から送信元の電話番号を取得したときに、その電話番号を保存するランダムアクセスメモリである。通常は、ＲＡＭ１４の一部の領域が充てられる。
【００４８】
ＣＰＵ２４は、ＲＯＭ２５に予め格納されている制御プログラムを実行することによって装置全体を制御するマイクロプロセッサである。特に、本実施例では、ＲＯＭ２５に予め格納されている所定プログラムを実行することによって回線制御部２の制御手順、符号化・復号化部６、印刷手段選択部７、相手先情報取得部８、及び用紙指定手順２１−１とを起動させる部分である。
【００４９】
ＲＯＭ２５は、ＣＰＵ２４が実行することによって装置全体を制御する制御プログラム、及び必要な制御データを予め格納するリードオンリメモリである。特に本実施例では、ＣＰＵ１２が実行することによって回線制御部２の制御手順、符号化・復号化部６、印刷手段選択部７、相手先情報取得部８、及び用紙指定手順２１−１とを起動させる制御プログラムを予め格納するリードオンリメモリである。
【００５０】
以下に本実施例のファクシミリ装置２００の動作について説明する。
図６は、用紙指定手順のフローチャートである。
図のステップＳ２−１からステップＳ２−７まで操作者の意思に基づいて用紙指定がなされる手順について説明する。
【００５１】
ステップＳ２−１
操作者が操作・表示部２１（図５）のファンクションキー押下すると、用紙指定手順２１−１（図５）が起動し、オートダイヤル（Ａ/Ｄ）登録へ移行される。
【００５２】
ステップＳ２−２
用紙指定手順２１−１（図５）は、操作者に対して操作・表示部２１（図５）のテンキーを押下して電話番号を登録することを求める。
【００５３】
ステップＳ２−３
用紙指定手順２１−１（図５）は、電話番号が登録されるまで待機し、登録されるとステップＳ２−４へ進む。
【００５４】
ステップＳ２−４
用紙指定手順２１−１（図５）は、表示板に印刷用紙設定項目として普通紙とリライタブル紙とを交互に表示し、操作者に対して選択キーの押下（選択）を求める。
【００５５】
ステップＳ２−５
用紙指定手順２１−１（図５）は、操作者によって普通紙が選択された場合にはステップＳ２−６へ進み、リライタブル紙が選択された場合にはステップＳ２−７へ進む。
【００５６】
ステップＳ２−６
用紙指定手順２１−１（図５）は、登録テーブル２３−１−１（図５）に普通紙を指定してフローを終了する。
【００５７】
ステップＳ２−７
用紙指定手順２１−１（図５）は、登録テーブル２３−１−１（図５）にリライタブル紙を指定してフローを終了する。
【００５８】
続いて、受信画像の相手先情報保存の動作は、実施例１（図３）と同様なので説明を省略し、印刷手段選択部２２（図５）の動作へ移行する。
図７は、実施例２の印刷処理のフローチャートである。
図のステップＳ２−１１からステップＳ２−１５までが印刷手段選択部２２（図５）の動作である。
【００５９】
ステップＳ２−１１
印刷手段選択部２２（図５）は、上記ステップＳ１−７で起動されると、通信相手先保存エリア９−２（図５）に通信相手先の電話番号が保存されているか否かを検出し、保存されている場合にはステップＳ２−１２へ進み、保存されていない（クリアされている）場合にはステップＳ２−１５へ進む。
【００６０】
ステップＳ２−１２
印刷手段選択部２２（図５）は、通信相手先保存エリア９−２（図５）に保存されている通信相手先の電話番号が、オートダイヤル用電話番号登録エリア２３−１（図５）に予め登録されている電話番号の何れかに一致するか否かを照合し、何れかと一致した場合にはステップＳ２−１３へ進み、何れとも一致しない場合にはステップＳ２−１５へ進む。
【００６１】
ステップＳ２−１３
印刷手段選択部２２（図５）は、登録テーブル２３−１−１（図５）の指定用紙の項目に普通紙が指定されている場合にはステップＳ２−１４へ進み、リライタブル紙が指定されている場合にはステップＳ２−１５へ進む。
【００６２】
ステップＳ２−１４
印刷手段選択部２２（図５）は、受信者が保存する可能性が高いと判断し、受信画像の画像記録手段として普通紙印刷部１０（図５）を選択する。
【００６３】
ステップＳ２−１５
印刷手段選択部２２（図５）は、受信者が保存する可能性が低いと判断し、受信画像の画像記録手段としてリライタブル紙印刷部１１（図５）を選択する。
【００６４】
ステップＳ２−１６
ＣＰＵ２４（図５）は、印刷手段選択部２２（図５）の選択に基づいて、ステップＳ２−１４またはステップＳ２−１５で選択された、普通紙印刷部１０（図５）またはリライタブル紙印刷部１１（図５）に対して印刷開始を通知する。
【００６５】
ステップＳ２−１７
普通紙印刷部１０（図５）またはリライタブル紙印刷部１１（図５）は、ＲＡＭ１４（図５）に展開されている印刷データを取り込んで印刷を開始し、フローを終了する。
【００６６】
以上説明したように、本実施例によれば、操作・表示部２１（図５）に用紙設定手順を備えることによって、登録テーブル２３−１−１（図５）に登録されている送信元であっても、普通紙で印刷して保存する必要の無い相手に対しては、操作者の設定要求によってリライタブル紙による印刷を選択できるので、更に無駄を削減することが出来るという効果を得る。ここで、登録テーブル２３−１−１（図５）に登録されている送信元であっても、普通紙で印刷して保存する必要の無い相手とは、例えば、かかる送信元からファクシミリ装置を介して送られてくるのは仮の見積書であって、本見積書は、商品と一緒に送られてくるのが慣例になっている場合等である。
尚、実施例１と同様にリライタブル紙印刷部に対して2つの用紙供給手段から、可逆性感熱記録媒体と非可逆の感熱記録紙を供給するように構成しても良い。
【産業上の利用可能性】
【００６７】
以上の説明では、受信者にとって有益な情報を提供してくれそうな送信元を特定する相手先情報として、電話番号を利用することとしたが、本発明はこの例に限定されるものでは無い。即ち、ファクシミリ装置の非標準手順を利用した発信元ＩＤ等、別の登録情報を利用しても良い。叉、画像情報を受信した時間帯を、受信者にとって有益な情報提供であるか否かの判断基準に用いることとしても良い。更に、パスワードを受入れて、パスワードが一致したときのみ普通紙印刷を行うこととしても良い。
【図面の簡単な説明】
【００６８】
【図１】実施例１の構成を表すブロック図である。
【図２】リライタブル紙印刷部の説明図である。
【図３】受信画像の相手先情報保存のフローチャートである。
【図４】実施例１の印刷手段選択部のフローチャートである。
【図５】実施例２の構成を表すブロック図である。
【図６】用紙指定手順のフローチャートである。
【図７】実施例２の印刷手段選択部のフローチャートである。
【符号の説明】
【００６９】
１    入出力ＩＦ部
２    回線制御部
２−１    モデム
２−２    ＮＣＵ
３    入出力バッファ部
４    操作・表示部
５    読取り部
６    符号化・復号化部
７    印刷手段選択部
８    相手先情報取得部
９    記憶部
９−１    オートダイヤル用電話番号登録エリア
９−１−１    登録テーブル
９−２    通信相手先保存エリア
１０    普通紙印刷部
１１    リライタブル紙印刷部
１２    ＣＰＵ
１３    ＲＯＭ
１４    ＲＡＭ
１５    共通バス
【図１】
2007068067.tif 000003
【図２】
2007068067.tif 000004
【図３】
2007068067.tif 000005
【図４】
2007068067.tif 000006
【図５】
2007068067.tif 000007
【図６】
2007068067.tif 000008
【図７】
2007068067.tif 000009